(57)【要約】【課題】表示装置から送信されたＥＤＩＤ情報に含まれる解像度に係る情報が間違っている場合であっても接続された表示装置が表示可能な解像度で画像情報を変換し、出力する。【解決手段】接続された表示装置２０からＥＤＩＤ情報を取得する制御部２と、本体装置が対応する表示情報と取得したＥＤＩＤ情報とに合致する表示情報に基づいて画像情報を変換する変換部７と、を備える。また、操作部１１から解像度の設定要求を受け付けた際において、制御部２は、取得したＥＤＩＤ情報に含まれる表示装置２０が対応する解像度の情報から表示装置２０が４８０Ｐ又は５７６Ｐのいずれの解像度にも対応していないと判断した場合に、本体装置が対応している複数の解像度を順番に切り換えて設定する。【選択図】  図１
2007081661.tif 000002
【特許請求の範囲】
【請求項１】
接続された表示装置から解像度に係る情報を取得する取得手段と、本体装置が対応する複数の解像度のうち前記取得手段によって取得された解像度に係る情報に合致する解像度に基づいて画像情報を変換する画像変換手段と、を備え、前記画像変換手段によって変換された画像情報を前記表示装置に表示させるべく出力する画像出力装置において、
前記取得手段によって取得された解像度の情報から前記表示装置が対応する解像度が予め定められた複数の解像度のうちの少なくとも１つに対応しているか否かを判定し、この判定結果から該取得手段によって取得された解像度の情報が正しいか否かを判断する判断手段と、
前記判断手段によって前記解像度の情報が間違っていると判断された際、所定の入力を受け付ける毎に本体装置が対応している複数の解像度及び前記画像情報に基づくアナログ画像信号を出力する設定を順番に切り換えて設定していく設定手段と、
前記判断手段によって前記解像度に係る情報が間違っていると判断された際、前記表示装置に表示すべき画像情報と前記取得手段が取得した解像度に係る情報が間違っている旨を表す画像情報とを合成し、前記画像変換手段に出力する画像合成手段と、を備え、
前記画像変換手段は、前記設定手段による設定に基づいて前記画像情報を変換することを特徴とする画像出力装置。
【請求項２】
接続された表示装置から解像度に係る情報を取得する取得手段と、本体装置が対応する複数の解像度のうち前記取得手段によって取得された解像度に係る情報に合致する解像度に基づいて画像情報を変換する画像変換手段と、を備え、前記画像変換手段によって変換された画像情報を前記表示装置に表示させるべく出力する画像出力装置において、
前記取得手段によって取得された解像度の情報から前記表示装置が対応する解像度が予め定められた複数の解像度のうちの少なくとも１つに対応しているか否かを判定し、この判定結果から該取得手段によって取得された解像度の情報が正しいか否かを判断する判断手段と、
前記判断手段によって前記解像度の情報が間違っていると判断された際、所定の入力を受け付ける毎に本体装置が対応している複数の解像度を順番に切り換えて設定していく設定手段と、を備え、
前記画像変換手段は、前記設定手段による設定に基づいて前記画像情報を変換することを特徴とする画像出力装置。
【請求項３】
前記設定手段が順番に切り換えていく設定には、前記画像情報に基づくアナログ画像信号を出力する設定が含まれることを特徴とする請求項２に記載の画像出力装置。
【請求項４】
前記判断手段によって前記解像度に係る情報が間違っていると判断された際、前記表示装置に表示すべき画像情報と前記取得手段が取得した解像度に係る情報が間違っている旨を表す画像情報とを合成し、前記画像変換手段に出力する画像合成手段を備えたことを特徴とする請求項２または３に記載の画像出力装置。
【発明の詳細な説明】
【技術分野】
【０００１】
この発明は、ＨＤＭＩ（High Definition Multimedia Interface）規格に対応するモニタ等の表示装置に画像情報を出力するＤＶＤ（Digital Versatile Disk）再生装置等の画像出力装置に関する。
【背景技術】
【０００２】
ＤＶＤ再生装置等の画像出力装置は、ＨＤＭＩ規格に対応するモニタ等の表示装置に表示可能な画像情報を出力するため、出力すべき画像情報を表示装置が対応する解像度等に対応させる変換処理を行う。
【０００３】
画像出力装置は、この表示装置が対応する解像度等の情報を、表示装置から送信されるＥＤＩＤ（Extended Display Identification ）情報から取得する（例えば、特許文献１参照）。また、画像出力装置は、ＥＤＩＤ情報から取得した情報の範囲内であって、表示装置が対応可能な範囲内において、ユーザから解像度等の設定入力を受け付ける。
【特許文献１】特開２００５−１０９７０３号公報
【発明の開示】
【発明が解決しようとする課題】
【０００４】
しかしながら、特許文献１等に記載されている従来の画像出力装置では、送信されてきたＥＤＩＤ情報が表示装置側の何らかの原因によって間違っている場合でも、間違っているＥＤＩＤ情報に基づいて画像情報の変換処理が行われてしまっていた。
【０００５】
例えば、ＨＤＭＩ規格の表示装置は、通常４８０Ｐ又は５７６Ｐのうち少なくともどちらか一方の解像度に対応しているが、どちらにも対応していない間違った情報がＥＤＩＤ情報に含まれて送信されてくる場合がある。そのため、４８０Ｐ又は５７６Ｐのいずれかにのみ対応する画像出力装置では、接続された表示装置に対応する解像度の画像情報を出力できないと判断して画像情報の変換等を行わず、本来ＥＤＩＤ情報が間違っていなければ表示できた画像情報を表示できない状態となる。
【０００６】
また、ユーザが解像度等を設定入力をすることは可能であるが、設定入力が受け付けられるのは、取得したＥＤＩＤ情報の範囲内であって画像出力装置が対応する範囲内で入力が受け付けられるので、上述の例のように表示装置が対応する解像度の情報が間違っていると設定入力が受け付けられない場合がある。
【０００７】
この発明の目的は、表示装置から送信されたＥＤＩＤ情報に含まれる解像度に係る情報が間違っている場合であっても接続された表示装置が表示可能な解像度で画像情報を変換し、出力することができる画像出力装置を提供することにある。
【課題を解決するための手段】
【０００８】
この発明は、上記課題を解決するために以下の構成を備えている。
【０００９】
（１）接続された表示装置から解像度に係る情報を取得する取得手段と、本体装置が対応する複数の解像度のうち前記取得手段によって取得された解像度に係る情報に合致する解像度に基づいて画像情報を変換する画像変換手段と、を備え、前記画像変換手段によって変換された画像情報を前記表示装置に表示させるべく出力する画像出力装置において、
前記取得手段によって取得された解像度の情報から前記表示装置が対応する解像度が予め定められた複数の解像度のうちの少なくとも１つに対応しているか否かを判定し、この判定結果から該取得手段によって取得された解像度の情報が正しいか否かを判断する判断手段と、
前記判断手段によって前記解像度の情報が間違っていると判断された際、所定の入力を受け付ける毎に本体装置が対応している複数の解像度を順番に切り換えて設定していく設定手段と、を備え、
前記画像変換手段は、前記設定手段による設定に基づいて前記画像情報を変換することを特徴とする。
【００１０】
この構成においては、接続されたＨＤＭＩ規格の表示装置等から取得した解像度に係る情報と本体装置が対応する複数の解像度とに合致する解像度に基づいて画像情報が変換される。また、上述のような表示装置は、複数の所定の解像度のうちの少なくとも１つについて必ず対応しているので、判断手段によって、取得された解像度に係る情報から表示装置が対応する解像度が予め定められた複数の解像度のうちの少なくとも１つに対応しているか否かに基づいて、この取得された解像度の情報が正しいか否かが判断される。さらに、取得された解像度の情報が正しくないと判断された際、所定の入力が受け付けられる毎に本体装置が対応している複数の解像度が順番に設定され、この設定された解像度に基づいて変換された画像情報が表示装置に出力される。
【００１１】
したがって、表示装置から取得した解像度の情報が間違っている場合であっても、ユーザが表示装置に画像情報が表示されているかを確認しつつ、表示装置に画像情報が表示されるまで解像度を切り換えることができるので、表示装置が表示可能な解像度で画像情報を変換し、出力することができる。
【００１２】
（２）前記設定手段が順番に切り換えていく設定には、前記画像情報に基づくアナログ画像信号を出力する設定が含まれることを特徴とする。
【００１３】
この構成においては、取得された解像度の情報が正しくないと判断された際、所定の入力が受け付けられる毎に本体装置が対応している複数の解像度が順番に設定されるが、複数の解像度とともに画像情報に基づくアナログ画像信号を出力する設定も含めて順番に切り換えられる。
【００１４】
したがって、例えば本体装置が対応する複数の解像度の全てについて画像情報を変換して出力しても表示装置に表示されないような場合に、画像情報の変換が不要なアナログ信号対応の表示装置に画像情報を出力させることができる。
【００１５】
（３）前記判断手段によって前記解像度に係る情報が間違っていると判断された際、前記表示装置に表示すべき画像情報と前記取得手段が取得した解像度に係る情報が間違っている旨を表す画像情報とを合成し、前記画像変換手段に出力する画像合成手段を備えたことを特徴とする。
【００１６】
この構成においては、取得された解像度に係る情報が間違っていると判断された際、表示装置に表示すべき画像情報と取得手段が取得した解像度に係る情報が間違っている旨を表す画像情報とが合成され、画像変換手段に出力される。したがって、画像情報とともに取得した情報が間違っている旨を表示装置に表示することができ、ユーザに表示装置側の異常をすぐに知らせることができる。
【発明の効果】
【００１７】
この発明によれば、表示装置から取得した解像度の情報が間違っている場合であっても、表示装置が表示可能な解像度で画像情報を変換し、出力することができる。
【発明を実施するための最良の形態】
【００１８】
以下、この発明の実施形態である画像出力装置について説明する。
【００１９】
図１は、この発明の実施形態に係る画像出力装置の構成を示すブロック図を示す。画像出力装置（本体装置）１は、ＤＶＤ１５に記録されている映像データや音声データ等の記録データを再生する、所謂ＤＶＤ再生装置である。画像出力装置１は、本体装置の動作を制御する制御部２、本体装置にセットされている記録媒体であるＤＶＤ１５に記録されている映像データや音声データ等の記録データを読み取る読取部３、読取部３が読み取った記録データを処理して再生信号を生成する再生部４を備えている。
【００２０】
また、画像出力装置１は、操作案内画面等のオンスクリーン画像信号（以下、ＯＳＤ画像信号と言う。）を生成するＯＳＤ生成部５、再生部４で生成された映像データとＯＳＤ生成部５で生成されたＯＳＤ画像信号とを重ね合わせた画像情報（再生信号）を生成する画像合成部６を備えている。
【００２１】
さらに、画像出力装置１は、画像合成部６で生成された合成画像の再生信号と再生部４で処理された音声データに基づく音声の音声信号とをそれぞれ表示装置２０に対応する形式に変換する変換部７、変換部７によって変換された再生信号をＨＤＭＩ規格に基づいたディジタル信号に変換して表示装置２０に送信するディジタル信号出力部８、再生部４で生成された音声信号を表示装置２２に備えられた図示しないアナログ音声信号に変換して出力するアナログ音声信号出力部９、画像合成部６で生成された再生信号を表示装置２２にアナログ画像信号に変換して出力するアナログ画像信号出力部１０、本体装置に対する入力を受け付ける操作部１１、後述するＥＤＩＤ情報等のデータを記憶する記憶部１２等から構成されている。
【００２２】
制御部２は、図示しないメモリを有し、このメモリに記憶している制御パラメータを用いて各部の動作を決定する。さらに、制御部２は、本体装置の各部に対して決定した動作に応じた動作指示を行う。各部は、制御部２からの指示にしたがって動作する。読取部３は、本体にセットされているＤＶＤ１５に記録されている記録データを読み取る図示しないピックアップヘッドを有する。ピックアップヘッドは、公知のように、レーザ光をＤＶＤ１５に照射し、その反射光を検出することで、このＤＶＤ１５に記録されている記録データを読み取る。
【００２３】
再生部４は、読取部３が読み取った記録データのうち映像データ及びサブピクチャデータを処理する画像データ処理部４ａと、音声データを処理する音声データ処理部４ｂとを有している。画像データ処理部４ａは、映像データ及びサブピクチャデータに基づいて再生信号を生成し、画像合成部６に送信する。音声データ処理部４ｂは、音声データに基づいて音声信号を生成し、出力すべき表示装置２０，２２に応じて変換部７を構成する音声データ変換部７ａ又はアナログ音声信号出力部９に選択的に送信する。
【００２４】
画像合成部６は、映像データに基づく再生信号及びＯＳＤ画像信号を重ね合わせた再生信号を生成し、出力すべき表示装置２０，２２に応じて変換部７を構成する画像データ変換部７ｂ又はアナログ画像信号出力部１０に選択的に送信する。なお、画像合成部６は、この発明の画像合成手段に相当する。ＯＳＤ画像信号には、制御部２のメモリに記憶している制御パラメータの変更等にかかる操作案内画面（所謂設定メニュー画面）や、再生、一時停止等の本体装置の動作状態を通知する画面等がある。
【００２５】
変換部７は、音声データ変換部７ａ、映像データ変換部７ｂ等から構成されている。なお、変換部７は、この発明の画像変換手段に相当する。音声データ変換部７ａは、本体装置が対応する音声情報のうち後述するＥＤＩＤ情報に合致する音声情報に基づいて、再生部４で生成された音声信号を変換して変換音声信号を生成する。
【００２６】
映像データ変換部７ｂは、本体装置が対応する表示情報のうちＥＤＩＤ情報に合致する表示情報に基づいて、画像合成部６で生成された合成画像の再生信号を変換して変換再生信号を生成する。具体的には、本体装置が対応する画像表示形式（インターレス方式、プログレッシブ方式等）や解像度等の表示情報のうちＥＤＩＤ情報に合致する画像表現形式等に合成画像の再生信号を変換する。
【００２７】
ディジタル信号出力部８は、変換音声信号及び変換再生信号をＨＤＭＩケーブル２１を介して表示装置２０に出力する。表示装置２０は、ＨＤＭＩ規格に対応し、変換音声信号に基づく音声を図示しないスピーカから出力し、変換再生信号に基づく映像を表示する。アナログ音声信号出力部９は、表示装置２２に備えられた図示しないスピーカにアナログ音声信号を出力する。アナログ画像信号出力部１０は、アナログ画像信号を表示装置２２に出力する。なお、アナログ画像信号出力部１０は、この発明の出力手段に相当する。表示装置２２は、アナログ画像信号に基づく映像を表示する。
【００２８】
操作部１１は、複数の操作キーや、図示しないリモコン装置から送信されてきた制御コードを受信するリモコン受信部を有している。操作部１１は、操作キーの操作やリモコン受信部における制御コードの受信により、再生等の入力を受け付ける。
【００２９】
制御部２は、さらにＨＤＭＩケーブル１２を介して表示装置２０に接続され、ＤＤＣ（Display Data Channel）通信により表示装置２０からＥＤＩＤ情報を受信する。したがって、制御部２は、この発明の取得手段に相当する。
【００３０】
ＥＤＩＤ情報は、表示装置２０の機種名や、表示装置２０が対応する一以上の解像度の情報、表示装置２０に対応する解像度のうち最も適した解像度である最適解像度の情報、表示装置２０に表示可能なアスペクト比の情報、表示装置２０に対応する画像表示形式の情報等から構成される表示装置２０のＩＤ情報である。また、制御部２は、受信したＥＤＩＤ情報を記憶部１２に格納する。
【００３１】
操作部１１は、表示装置２０に表示する再生信号の画像表示形式や解像度等を、表示装置２０が対応する範囲内であって画像出力装置１が対応する範囲内において設定入力を受け付ける。制御部２は、受け付けられた設定を記憶部１２に格納する。変換部７は、受け付けられた設定に基づいて再生信号の変換を行う。
【００３２】
図２は、変換部７において再生信号の変換に用いる解像度の設定要求を受け付けた際の処理の手順を示す流れ図である。制御部２は、リモコン等を介して解像度の設定要求を受け付けた際、ＨＤＭＩ規格に対応する表示装置２０が接続されているか否かを判断する（Ｓ１）。具体的には、ディジタル信号出力部８から図示しない通信ラインを介して送信される接続有無情報を用いて判断する。接続有無情報は、ディジタル信号出力部８がＨＤＭＩケーブル２１に備えられているＨＰＤ（Hot Plug Detector ）２１ａから受信する。
【００３３】
Ｓ１において、制御部２がＨＤＭＩ規格に対応する表示装置２０が接続されていないと判断した場合、解像度設定処理を開始せず、また音声信号及び再生信号をアナログ音声信号出力部９及びアナログ画像信号出力部１０にのみ出力するように設定するアナログ信号出力処理を行い（Ｓ５）、その後全体の処理を終了する。これは、ＨＤＭＩ規格に対応する表示装置２０が接続されていなければ設定を行う必要もなく、変換部７で再生信号を変換する必要もないからである。
【００３４】
一方、Ｓ１において、ＨＤＭＩ規格に対応する表示装置２０が接続されていると判断した場合、受信したＥＤＩＤ情報に含まれる表示装置２０が対応している解像度の情報が正しいか否かを判断する（Ｓ２）。具体的には、表示装置２０が対応している解像度が少なくとも４８０Ｐ又は５７６Ｐのいずれかに対応しているか否かを判定することによって判断する。ＨＤＭＩ規格の表示装置２０は、解像度が最低レベルの４８０Ｐ又は５７６Ｐのいずれかに必ず対応しているからである。したがって、制御部２は、この発明の判断手段にも相当する。
【００３５】
Ｓ２において、解像度の情報が正しいと判断した場合、解像度の設定処理を行い（Ｓ４）、その後全体の処理を終了する。解像度の設定処理は、例えば、画像出力装置１が対応する解像度とＥＤＩＤ情報に含まれる表示装置２０が対応する解像度とが合致する解像度についてＯＳＤ生成部５で生成された選択画面のＯＳＤ画像信号を合成した合成画像を出力して表示装置２０に表示させ、この表示された内容に基づいてユーザにリモコン等を介して希望の解像度を選択させる。ユーザによって選択された解像度の決定の入力がされると選択された解像度について設定を行う。Ｓ４の処理終了後から変換部７は、設定された解像度に基づいて再生信号を変換する。
【００３６】
一方、Ｓ２において、解像度の情報が間違っていると判断した場合、強制設定処理を行い（Ｓ３）、その後全体の処理を終了する。強制設定処理は、解像度の設定要求が受け付けられる毎に、画像出力装置１が対応する複数の解像度のうち最低レベルの解像度から順番に解像度を設定する。したがって、制御部２は、本発明の設定手段にも相当する。
【００３７】
例えば、本実施形態の画像出力装置１が対応する解像度が低い順に４８０Ｐ（５７６Ｐ），７２０Ｐ，１０８０ｉであるとすると、最初に強制設定処理が実行された際は、４８０Ｐ（又は５７６Ｐ）の解像度がＥＤＩＤ情報に関わらず強制的に設定される。なお、解像度４８０Ｐ，５７６Ｐは、ＤＶＤ１５に記録されているソフトの方式（ＮＴＳＣ（National Television Standards Committee）方式又はＰＡＬ（Phase Alternation by Line）方式）によりどちらか一方が選択される。
【００３８】
また、次に、解像度の設定要求が受け付けられて２回目、３回目と強制処理が実行されると、７２０Ｐ、１０８０ｉが解像度として設定される。
【００３９】
これによって、表示装置２０から取得した解像度の情報が間違っている場合であっても、表示装置２０が表示可能な解像度で再生信号を変換し、出力することができる。
【００４０】
なお、４回目の強制設定処理が実行された場合は、変換部７における音声信号及び再生信号の変換を行なわず、音声信号及び再生信号をアナログ音声信号出力部９及びアナログ画像信号出力部１０にのみ出力するように設定する。これにより、例えば本体装置が対応する複数の解像度の全てについて再生信号を変換して出力しても表示装置２０に表示されないような場合に、再生信号の変換部７における変換が不要なアナログ信号対応の表示装置２２に映像を表示させることができる。また、変換部７における再生信号等の変換を行わないので無駄な処理を省いて処理負荷を低減できる。
【００４１】
なお、５回目の強制処理が実行された場合は、最初の４８０Ｐ（又は５７６Ｐ）が設定され、６回目以降は上述と同様である。また、図２に示すＳ３の強制設定処理における設定の順番は特に限定されるものではない。
【００４２】
本実施形態では、図２に示すＳ３の強制設定処理後に設定した解像度に基づくＤＶＤ１５の再生を行うが、強制設定処理後において受信したＥＤＩＤ情報に含まれる解像度に係る情報が間違っている旨を表す画像情報（ＯＳＤ画像信号）をＯＳＤ画像生成部６において生成し、映像データの再生信号と合成してもよい。これによって、ユーザに表示装置２０側の異常をすぐに知らせることができる。
【図面の簡単な説明】
【００４３】
【図１】この発明の実施形態に係る画像出力装置の構成を示すブロック図である。
【図２】同画像出力装置に備えられた変換部において再生信号の変換に用いる解像度の設定要求を受け付けた際の処理の手順を示す流れ図である。
【符号の説明】
【００４４】
１−画像出力装置
２−制御部
５−ＯＳＤ生成部
６−画像合成部
７−変換部
８−ディジタル信号出力部
１０−アナログ画像信号出力部
１１−操作部
２０−表示装置
２１−ＨＤＭＩケーブル
【図１】
2007081661.tif 000003
【図２】
2007081661.tif 000004